(57)【要約】【課題】  定型以外の記録媒体に印刷する場合にも、記録媒体の形状に応じて使用者が簡単に画像編集・整形を行うことができ、所望の印刷結果が得られる画像処理システムを提供すること。【解決手段】  プリンタから記録媒体の形状に関する情報を撮像装置に送信し、この情報に基づいた形状の枠を生成して表示することにより、使用者が画像編集・生成を簡便かつ直感的に実施できる印刷補助画面を生成する。  また、撮像装置が記録可能な記録メディアに基づいて定型以外の形状に対応した画像編集・整形用の枠を生成して表示させ、使用者がより簡便に所望の印刷結果を得られるように構成することもできる。【選択図】  図８
2009010698.tif 000002
【特許請求の範囲】
【請求項１】
データを記録媒体に記録するデータ記録手段と、
外部のプリンタと通信して、プリンタでレーベル印刷することが可能な記録媒体の種類を示す情報を受信する受信手段と、
データ記録手段でデータを記録する記録媒体の種類と、前記受信手段で受信した記録媒体の種類に応じて、レーベル印刷の可否を示す表示を行う表示手段を有することを特徴とする画像処理装置。
【請求項２】
前記レーベル印刷の指示を行う場合に、前記表示手段には、レーベル印刷の対象となる記録媒体に記録されている画像を表示することを特徴とする請求項１に記載の画像処理装置。
【請求項３】
さらにレーベル印刷の実行を指示する指示手段と、撮像手段とを有し、
前記指示手段は、前記撮像手段により得られる画像データを記録する記録媒体の種類と、前記プリンタでレーベル印刷することが可能な記録媒体の種類とが一致する場合に、レーベル印刷の実行を指示可能とすることを特徴とする請求項１に記載の画像処理装置。
【請求項４】
データを記録媒体に記録するデータ記録工程と、
外部のプリンタと通信して、プリンタでレーベル印刷することが可能な記録媒体の種類を示す情報を受信する受信工程と、
データ記録工程でデータを記録する記録媒体の種類と、前記受信工程で受信した記録媒体の種類に応じて、レーベル印刷の可否を示す表示を行う表示工程を有することを特徴とする画像処理方法。
【請求項５】
前記レーベル印刷の指示を行う場合に、前記表示工程では、レーベル印刷の対象となる記録媒体に記録されている画像を表示することを特徴とする請求項４に記載の画像処理方法。
【請求項６】
さらにレーベル印刷の実行を指示する指示工程を有し、
前記指示工程では、撮像装置により得られる画像データを記録する記録媒体の種類と、前記プリンタでレーベル印刷することが可能な記録媒体の種類とが一致する場合に、レーベル印刷の実行を指示可能とすることを特徴とする請求項４に記載の画像処理方法。
【発明の詳細な説明】
【技術分野】
【０００１】
本発明は、ＣＤ−Ｒや、ＤＶＤ−Ｒ等のディスク状記録媒体の表面に、画像データをプリントするためのプリントシステムに利用される画像処理装置、または電子カメラに関するものである。
【背景技術】
【０００２】
近年、プリンタとデジタルビデオカメラ・デジタルスチルカメラ等を直接接続し、パソコンを仲介とすることなく、簡単な手順で撮影した画像の印刷作業を行うことができる画像処理システムが広まってきている。
【特許文献１】特開２００３−０６１０３４号公報
【発明の開示】
【発明が解決しようとする課題】
【０００３】
近年、デジタルビデオカメラ等の撮像装置が取り扱うことができる記録メディアが多様化し、光学ディスクや大容量の不揮発性メモリに撮影した画像データを記録できるように構成された撮像装置が一般化しつつある。また、パソコン等により光学ディスクにデータ書き込みを行う環境が一般化し、使用者が自分で編集した音楽・映像を光学ディスクに保存することが簡単に可能となっている。このような状況を受けて光学ディスクのレーベル面に記録内容を示唆する画像や日付を直接印刷できるように構成されたプリンタも増えてきている。
【０００４】
従来の画像処理システムにおいては、Ａ４・Ｂ４・Ｌ判等、予めシステムが対応している定型用紙サイズに印刷するための編集を容易に行うことができると言える。しかしながら、光学ディスクのレーベル面や、メモリカードのインデックス面等、定型用紙以外の記録媒体に印刷を行う際には、パソコンに画像を取り込んで整形や編集の操作を細かく行う必要があり、使用者に手間を強いる状況であった。
【０００５】
本発明はこれらの状況に鑑みてなされたものであり、定型以外の記録媒体に印刷する場合にも、記録媒体の形状に応じて使用者が簡単に画像編集・整形を行うことができ、所望の印刷結果が得られる画像処理システムを提供することを目的とする。
【課題を解決するための手段】
【０００６】
かかる課題を解決する為、データを記録媒体に記録するデータ記録手段と、外部のプリンタと通信して、プリンタでレーベル印刷することが可能な記録媒体の種類を示す情報を受信する受信手段と、データ記録手段でデータを記録する記録媒体の種類と受信手段で受信した記録媒体の種類に応じて、レーベル印刷の可否を示す表示を行う表示手段を有する画像処理装置を提供する。
【発明の効果】
【０００７】
本発明に拠れば、デジタルカメラ等の画像処理装置において画像データ記録に利用可能な記録媒体と、同じ種類の記録メディアに対してレーベル印刷を実行指示可能となる。
【０００８】
逆に、画像処理装置で画像データ記録に利用出来ないな記録媒体に対してレーベル印刷を実行することを防止することが出来る。
【０００９】
これによりデータの記録内容と、レーベル印刷の内容の不一致を起こす危険性を減少させることに役立つ。
【発明を実施するための最良の形態】
【００１０】
（実施例）
図１で、本実施例の画像処理システムを説明する。
【００１１】
図１上方の装置はプリンタであり、下方の装置はデジタルカメラを表している。
【００１２】
図１において、１０１はレンズ・絞り・ＮＤフィルタ等により構成される光学系であり、１０２は撮像素子であるＣＣＤ・サンプル／ホールド回路（Ｓ／Ｈ回路）・プリプロセス回路等により構成される撮影部である。１０３は撮像装置全体を制御するための制御マイコンであり、１０４は外部装置とデータ送受信を行うための通信手段である。プリンタの通信手段１１２と撮像装置の通信手段１０４は、ケーブル（不図示）の接続、あるいは無線によって直接通信し、相互にデータの授受が可能である。１０５は信号処理部であり、１０６は信号記録部である。１０７は記録メディアであり、テープ・書き込み可能な光学ディスク・不揮発性メモリ等のいずれかで構成されているとする。ただし、複数のメディアに対して記録可能なように構成されている撮像装置もあり、このとき、異なる複数種類のメディアに対応可能に設計しても良い。１０８は画像出力インターフェースであり、１０９は液晶パネル等で構成された表示手段である。１１０はプリンタの記録媒体であり、使用者が所望に応じて交換することにより、さまざまな媒体を対象として印刷可能なように構成されている。１１１は記録媒体形状取得手段であり、スイッチあるいはセンサによる位置検出や、記録媒体に埋めこまれた情報を参照することができるように構成されており、現在セットされている記録媒体の大きさ、形状、材質などを取得することができる。もし、使用者がプリンタに記録媒体を設置すると、プリンタは位置センサの応答や記録媒体に埋め込まれた情報を記録媒体形状取得手段１１１で取得し、記録媒体の形状を取得する。
【００１３】
１１２は、上述したような外部装置とデータ送受信を行うための通信手段である。
【００１４】
操作手段１００は、使用者の操作を受け付けて、撮像処理の開始指示を行ったり、記録メディアに記録されている画像を再生して、表示手段１０９に画像を表示させる指示を行ったりすることが出来る。また、後述するレーベル印刷の設定や開始の指示など、デジタルカメラに対するユーザの操作を管理している。
【００１５】
光学系１０１において、レンズより受光した被写体からの光は、絞り・ＮＤフィルタにより光量を調節される。撮影部１０２では、被写体からの光がＣＣＤ等撮像素子面上に結像され、光電変換されて画像信号として蓄積される。ＣＣＤ等撮像素子から出力された画像信号は、サンプルホールド回路でサンプルホールド処理された後、プリプロセス回路に供給されてＡＧＣ処理、ブラックバランス処理、ホワイトバランス処理、ガンマ補正処理等が行われ、信号処理部１０５に供給される。
【００１６】
信号処理部１０５では、制御マイコン１０３からの指示に基づき画像信号に対する加工・補正等が実施され、記録用画像信号が生成される。また、記録用画像信号にさまざまな状況に応じたキャラクタ情報等を重畳し、表示用画像信号が生成される。
【００１７】
信号記録部１０６では、前記記録用画像信号を記録メディア１０７に応じたデータ形式に加工・変換し、記録メディアへの保存を行う。
【００１８】
画像出力インターフェース１０８は、前記表示用画像信号を接続端子及び表示手段１０９に出力する。
【００１９】
使用者がプリンタと撮像装置を通信手段を介して接続すると、制御マイコン１０３は信号処理部１０５に印刷ナビゲーション画面を表示するように指示する。信号処理部１０５は、信号記録部１０６を介して記録メディア１０７から画像データを読み出し、印刷ナビゲーション画面を生成して画像出力インターフェース１０８を介して表示手段１０９に出力する。
【００２０】
図２は印刷ナビゲーション画面の一例である。
【００２１】
使用者は、印刷ナビゲーション画面を参照しながら、所望の画像を選択し、印刷枚数、フチの有無など設定を行い、印刷実行を指示する。
【００２２】
この際、画像データ上にトリミング枠を表示し、不必要な画像の切除や拡大等の画像処理を同時に行うように構成されているものもある。
【００２３】
図３はトリミング枠を表示した印刷ナビゲーション画面の一例である。
【００２４】
このとき画面の左上には、記録メディア１０７から再生された画像データを表示している。
【００２５】
このようなトリミング枠は、記録媒体形状取得手段１１１により印刷可能な用紙サイズが検出されると、通信手段１０４を通じてプリンタから撮像装置に伝達され、用紙サイズにおける変倍処理や画像のレイアウト等を直感的に決定するために使用される。
【００２６】
制御マイコン１０３は使用者の設定した印刷設定に応じて信号処理部１０５に画像処理パラメータを伝達し、信号処理部１０５は前記信号処理パラメータに基づいて画像データの加工・編集を行い、印刷用画像データの生成を行う。信号処理部１０５で印刷用画像データの生成が完了されると、制御マイコン１０３は信号処理部１０５及び通信手段１０４にデータ転送開始を指示し、印刷用画像データが撮像装置からプリンタに転送される。印刷用画像データの転送が完了すると、プリンタは受信した印刷用画像データを印刷し、出力する。
【００２７】
記録媒体（記録メディア）の形状の一例を図４に示す。
【００２８】
図４Ａは光学ディスクが記録媒体として設置された場合の印刷可能範囲を示しており、図４Ｂはメモリカードのタイトルインデックス用の用紙が記録媒体として設置された場合の印刷可能範囲を示している。これらの記録媒体の形状は、座標情報として数値化され、プリンタ内に記憶される。
【００２９】
なお、図４Ａのようなディスク状の記録媒体の印刷可能範囲の情報は、印刷可能範囲の内径と外径の数値として記憶されるとする。
【００３０】
通信手段１０４を介してプリンタと撮像装置が接続されると、制御マイコン１０３はプリンタ接続状態に移行したことを検知し、システムを印刷待機モードに移行させる。システムが印刷待機モードに入ると、プリンタは記録媒体の形状情報を撮像装置に送信する。プリンタから記録媒体の形状情報を取得すると、撮像装置は印刷ナビゲーション画面を表示するよう信号処理部１０５に指示する。
【００３１】
図５に本発明における印刷ナビゲーション画面の一例を示す。
【００３２】
制御マイコン１０３からの指示を受け、信号処理部１０５は印刷ナビゲーション画面を生成し、画像出力インターフェース１０８を介して表示手段１０９に出力する。
【００３３】
使用者がレーベル印刷実行を指示すると、制御マイコン１０３は信号処理部１０５にレーベル印刷画面を表示するように指示し、プリンタから受信した記録媒体形状情報に基づいてレーベル枠の座標情報を信号処理部１０５に伝達する。制御マイコン１０３からの指示を受け、信号処理部１０５はレーベル印刷画面を生成し、画像出力インターフェース１０８を介して表示手段１０９に出力する。
【００３４】
このとき、画面の左上には、デジタルカメラの記録メディア１０７から読み出された画像データを表示している。これによって、レーベル印刷に用いる画像データが記録されている記録メディアと、実際にプリンタに設置されている記録メディアの種類との対応を確認するのに役立つ。
【００３５】
図６に本発明におけるレーベル印刷画面の一例を示す。
【００３６】
図６Ａはプリント用の記録媒体として光学ディスクが設置された場合のレーベル印刷画面であり、図６Ｂはメモリカードのインデックスタイトルが記録媒体として設置された場合のレーベル印刷画面である。使用者は、レーベル印刷画面を参照しながら、画像の拡大・縮小・不要部分の削除等を行うことができ、直感的かつ簡単に記録媒体に応じた印刷結果を得ることができる。
【００３７】
使用者が印刷実行を指示すると、制御マイコン１０３は設定された印刷パラメータを信号処理部１０５に伝達し、画像データに加工・編集を行い、通信手段１０４を介してプリンタに伝達する。プリンタは取得した画像データを設置された記録媒体に印刷し、印刷結果を出力する。
【００３８】
図７に撮像装置がデータを記録可能な記録メディアとプリンタに設定されている記録媒体が適当でない場合の警告表示画面の一例を示す。
【００３９】
前述の画像処理システムにおいて、プリンタ側で印刷可能な記録媒体が設置された場合でも、撮像装置がこれに対応した記録メディアへのデータの記録に対応していない場合がある。例えば、テープ状メディアへの記録のみに対応した撮像装置において、プリンタ側は光学ディスクが記録媒体として設置されている場合等である。このような場合は、図７に示すような警告表示を行い、使用者が意図しない印刷動作を実行させないように構成することができる。
【００４０】
なお、レーベル印刷出来ないことを示す警告の表示の代わりに、レーベル印刷か可能であることを示しても良いし、その両方を示す表示にしても構わない。
【００４１】
このように、データ記録手段でデータを記録する記録媒体の種類と、プリンタから受信した記録媒体の種類に応じて、レーベル印刷の可否を認識できる表示であればよい。
【００４２】
図８に第１の実施形におけるフローチャートを示す。
【００４３】
Ｓｔｅｐ１において、プリンタが撮像装置に接続されたことを制御マイコン１０３が検知すると、制御マイコン１０３は信号処理部１０５に印刷ナビゲーション画面を表示するように指示する。この指示に基づき、信号処理部１０５は印刷ナビゲーション画面を生成して表示手段１１０に出力する。
【００４４】
Ｓｔｅｐ２において、使用者がレーベル印刷実行を選択するか否かを判定し、レーベル印刷を実行しない場合は、通常のトリミング・変倍等の処理を行うことが可能なＳｔｅｐ７に制御を移行する。
【００４５】
Ｓｔｅｐ３において、使用者がレーベル印刷実行を選択したことを受けて、プリンタは記録媒体形状情報を撮像装置に送信する。
【００４６】
Ｓｔｅｐ４において、制御マイコン１０３は受信した記録媒体形状情報と撮像装置が記録可能な記録メディアとの対応を判定し、適当である場合はＳｔｅｐ７に制御を移行する。
【００４７】
Ｓｔｅｐ５において、撮像装置が記録可能な記録メディアと、記録媒体形状情報が不一致の場合は図７のような警告を表示し、Ｓｔｅｐ６に制御を移行する。
【００４８】
Ｓｔｅｐ６において、使用者はこのまま印刷を続行するか否か選択し、印刷を続行しない場合はＳｔｅｐ１に制御を移行し、通常の印刷ナビゲーション画面で使用者の所望の操作を実行させる。
【００４９】
Ｓｔｅｐ７において、レーベル印刷を実行しない場合は図２のような印刷ナビゲーション画面や図３のようなトリミング画面を表示し、使用者が所望の操作を実施する。レーベル印刷を実施する場合は図６のようなレーベル印刷画面を表示し、使用者はレーベル印刷に特化した画面を参照しながら、画像の加工・編集を実施することができる。
【００５０】
Ｓｔｅｐ８において、使用者に最終的に印刷をするか判定を促し、印刷続行する場合はプリンタに画像データを転送し、印刷を実行する。使用者が印刷続行しない場合は、Ｓｔｅｐ７に制御を移行し、画像データの加工・編集を続行させる。
【００５１】
また、本発明は以下のように構成することもできる。
【００５２】
通信手段１０４を介してプリンタと撮像装置が接続されると、制御マイコン１０３はプリンタ接続状態に移行したことを検知し、システムを印刷待機モードに移行させる。システムが印刷待機モードに入ると、撮像装置は印刷ナビゲーション画面を表示するよう信号処理部１０５に指示する。制御マイコン１０３からの指示を受け、信号処理部１０５は印刷ナビゲーション画面を生成し、画像出力インターフェース１０８を介して表示手段１０９に出力する。
【００５３】
［第２の実施形態］
図９に第２の実施形におけるレーベル印刷選択画面の一例を示す。
【００５４】
使用者がレーベル印刷実行を指示すると、制御マイコン１０３は信号処理部１０５にレーベル印刷選択画面を表示するように指示し、信号処理部１０５は図８のようなレーベル印刷選択画面を表示する。このとき、撮像装置がデータを記録可能な記録メディアに基づいて選択肢を表示し、使用者が撮影した画像を保存した記録メディアにレーベルやインデックスを付加する際に簡便に印刷作業ができるように構成することができる。
【００５５】
使用者が所望の記録メディアを選択すると、制御マイコン１０３は、撮像装置が記憶しているメディアの印刷範囲情報に基づいて、レーベル枠の座標情報を信号処理部１０５に伝達する。制御マイコン１０３からの指示を受け、信号処理部１０５はレーベル印刷画面を生成し、画像出力インターフェース１０８を介して表示手段１０９に出力する。
【００５６】
使用者は、レーベル印刷画面を参照しながら、画像の拡大・縮小・不要部分の削除等を行うことができる。使用者が印刷実行を指示すると、制御マイコン１０３は設定された印刷パラメータを信号処理部１０５に伝達し、画像データに加工・編集を行い、通信手段１０４を介してプリンタに伝達する。プリンタは取得した画像データを設置された記録媒体に印刷し、印刷結果を出力する。
【００５７】
上記のように構成することで、使用者は自分の撮影した記録メディアに簡単な作業でレーベルやインデックスを付与することができる。
【００５８】
図１０に撮像装置の記録メディアとプリンタの記録媒体が適当でない場合の警告表示画面の一例を示す。
【００５９】
前述の画像処理システムにおいて、撮像装置が記録可能な記録メディアに対して、プリンタが印刷できない場合がある。例えば、撮像装置は光学ディスクの記録に対応していても、プリンタ側が光学ディスクのレーベル面への印刷に対応していない場合等である。
【００６０】
このような場合は、図９に示すような警告表示を行い、使用者が意図しない印刷動作を実行させないように構成することができる。
【００６１】
なお、レーベル印刷出来ないことを示す警告の表示の代わりに、レーベル印刷か可能であることを示しても良いし、その両方を示す表示にしても構わない。
【００６２】
このように、データ記録手段でデータを記録する記録媒体の種類と、プリンタから受信した記録媒体の種類に応じて、レーベル印刷の可否を認識できる表示であればよい。
【００６３】
図１１に上記第２の実施形におけるフローチャートを示す。
【００６４】
Ｓｔｅｐ１１において、プリンタが撮像装置に接続されたことを制御マイコン１０３が検知すると、制御マイコン１０３は信号処理部１０５に印刷ナビゲーション画面を表示するように指示する。この指示に応じて、信号処理部１０５は印刷ナビゲーション画面を生成して表示手段１１０に出力する。
【００６５】
Ｓｔｅｐ１２において、使用者がレーベル印刷実行を選択するか否かを判定し、レーベル印刷を実行しない場合は、通常のトリミング・変倍等の処理を行うようにＳｔｅｐ１８に制御を移行する。
【００６６】
Ｓｔｅｐ１３において、使用者がレーベル印刷実行を選択したことを受けて、信号処理部１０５はレーベル印刷選択画面を生成し、表示手段１１０に出力する。使用者は所望のレーベル印刷モードを選択し、これを受けてＳｔｅｐ１４は制御を移行する。
【００６７】
Ｓｔｅｐ１４において、プリンタから印刷可能な記録媒体に関する情報を撮像装置に送信する。
【００６８】
Ｓｔｅｐ１５において、制御マイコン１０３は受信した印刷可能な記録媒体に関する情報と使用者が選択したレーベル印刷モードとの対応を判定し、適当である場合はＳｔｅｐ１８に制御を移行する。
【００６９】
Ｓｔｅｐ１６において、使用者が選択したレーベル印刷モードと記録媒体の形状情報が不一致の場合は図９のような警告を表示し、Ｓｔｅｐ１７に制御を移行する。
【００７０】
Ｓｔｅｐ１７において、使用者はこのまま印刷を続行するか否か選択し、印刷を続行しない場合はＳｔｅｐ１１に制御を移行し、通常の印刷ナビゲーション画面で使用者の所望の操作を実行させる。
【００７１】
Ｓｔｅｐ１８において、レーベル印刷を実行しない場合は図２のような印刷ナビゲーション画面や図３のようなトリミング画面を表示し、使用者が所望の操作を実施する。レーベル印刷を実施する場合は図６のようなレーベル印刷画面を表示し、使用者はレーベル印刷に特化した画面を参照しながら、画像の加工・編集を実施することができる。
【００７２】
Ｓｔｅｐ１９において、使用者に最終的に印刷をするか判定を促し、印刷続行する場合はプリンタに画像データを転送し、印刷を実行する。使用者が印刷続行しない場合は、Ｓｔｅｐ１８に制御を移行し、画像データの加工・編集を続行させる。
【００７３】
ここまで説明してきたように画像処理システムを構成することによって、定型以外の記録媒体に印刷する場合にも、記録媒体の形状に応じて使用者が簡単に画像編集・整形を行うことができ、所望の印刷結果が得られる画像処理システムを提供することができる。
【００７４】
以上説明したように、上記の実施例によれば、デジタルカメラ等の画像処理装置において、画像データ記録に利用可能な記録媒体と同じ種類の記録メディアに対してレーベル印刷を実行指示可能となる。
【００７５】
逆に、画像処理装置において、画像データ記録に利用出来ないな記録媒体に対してレーベル印刷を実行することを防止することが出来る。
【００７６】
これによりデータの記録内容と、レーベル印刷の内容の不一致を起こす危険性を減少させることに役立つ。
【００７７】
［他の実施の形態］
本発明の目的は前述の実施例の機能を実現するプログラムコードを記録した記憶媒体をシステム或は装置に提供し、そのシステム或は装置の演算装置が記憶媒体に格納されたプログラムコードを読み出し実行することによっても達成される。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスク、ＣＤ−ＲＯＭ，ＣＤ−Ｒ、磁気テープ、不揮発性のメモリカード、ＲＯＭなどを用いることができる。
【００７８】
また、演算装置が読み出したプログラムコードを実行することにより、前述した実施の形態の機能がそのプログラムの動作のみで実現されるだけに限らない。例えば、そのプログラムコードの指示に基づき、演算装置で稼動しているオペレーティングシステムや他のプログラムなどが実際の処理の一部又は全部を行い、その処理によって前述した実施例の機能が実現される場合も含まれる。
【００７９】
更に、記憶媒体から読み出されたプログラムコードが、コンピュータに挿入された機能拡張ボードやコンピュータに接続された機能拡張ユニットに備わるメモリに書きこまれた後、そのプログラムコードの指示に基づき、その機能拡張ボードや機能拡張ユニットに備わるＣＰＵなどが実際の処理の一部又は全部を行い、その処理によって前述した実施例の機能が実現される場合も含む。
【図面の簡単な説明】
【００８０】
【図１】従来の撮像装置の処理ブロック図
【図２】印刷ナビゲーション画面の一例
【図３】トリミング枠を表示した印刷ナビゲーション画面の一例
【図４】記録媒体の形状の一例
【図５】本発明における印刷ナビゲーション画面の一例
【図６】本発明におけるレーベル印刷画面の一例
【図７】撮像装置の記録メディアとプリンタの記録媒体が適当でない場合の警告表示画面の一例
【図８】第１の実施形態におけるフローチャート
【図９】第２の実施形態におけるレーベル印刷選択画面の一例
【図１０】撮像装置の記録メディアとプリンタの記録媒体が適当でない場合の警告表示画面の一例
【図１１】第２の実施形態におけるフローチャート
【符号の説明】
【００８１】
１０１  光学系
１０２  撮影部
１０３  制御マイコン
１０４  通信手段
１０５  信号処理部
１０６  信号記録部
１０７  記録メディア
１０８  画像出力インターフェース
１０９  表示手段
１１０  記録媒体
１１１  記録媒体形状取得手段
【図１】
2009010698.tif 000003
【図２】
2009010698.tif 000004
【図３】
2009010698.tif 000005
【図４】
2009010698.tif 000006
【図５】
2009010698.tif 000007
【図６】
2009010698.tif 000008
【図７】
2009010698.tif 000009
【図８】
2009010698.tif 000010
【図９】
2009010698.tif 000011
【図１０】
2009010698.tif 000012
【図１１】
2009010698.tif 000013